(57)【要約】      （修正有）【課題】現在のカメラは、一眼レフが主流であるが、レフを用いると言うのに、自動化を進めたため、万事に無理をしなくてはならず、プロ向きの堅牢なものには完成していない。レフレスが主流の大型カメラでは、その機構は依然旧態のままで、機動性は全くない。しかし、逆像ではあるが、画面のあらゆる点のピント具合は見れる。このレフレスの直通光によるピント合わせ方式で以て、近代的な機動性のあるカメラを創りたい。【解決手段】所謂ＲｅａｒＰｕｎｔｇｌａｓｓＣａｍｅｒａにおけるピントグラスとパッケイジフィルムマガジンとを一体化して、それがそれぞれの目的に応じて、入れ代わって、それぞれの目的を達成するように機能するようにして、レフにしてフィルム面とピントグラスとを別々の位置にしなくても済むようにした直通光焦点板利用焦点調節式カメラ（レフレスカメラ）。【選択図】  なし【特許請求の範囲】
【請求項１】
装填フィルムの画面とピントグラスの位置がレフレックスカメラのように別々な位置でないカメラにおいて、その結像面にフィルムのみならずピントグラスも位置しうるように、ピントグラスとフォーカルプレンシャッター付パッケイジフィルム（容器に入った或いは包装された多撮影コマ数のフィルム）マガジン（フィルムを籠めておくケース）とをレールに填ってスライドしうるように直結させて、ピントを合わせる時折にはピントグラス部が結像面に位置しえ、撮像する時折にはマガジンのフィルム面が位置しうるようにして、撮影できるようにした、ＤｉｒｅｃｔＬｉｇｈｔＰｕｎｔｇｌａｓｓＨａｎｄＣａｍｅＴａ略してダイレクトカメラと呼ぶことにする、直通光焦点板利用焦点調節式手握式写真機。
【請求項２】
「請求項１」における「ダイレクトカメラ」における「ピントグラス」には逆像を結ぶので、それをレンズで以て次のピントグラスに正像を結ばせるようにした、ダブルピントグラス式正像化式の、リバーサルダイレクトカメラと呼ぶことにする、ダイレクトカメラ。
【請求項３】
「請求項１」や「請求項２」における「ダイレクトカメラ」において、ピントグラスに全面的に或いはそれを分割的に或いは又一定面積的に透明な光導電物質膜（光があると導電率、電気抵抗が変わる物質（「人門カラーテレビ・１０頁・東京電気大学出版局・１９９６年」）を設け、それに一定の安定した電圧を加えうるようにして、それから発生する電流が、撮影レンズの移動によってピント像が明暗するに従って変化する大きさの直前と今とを測定比較して、直前値が今値を超えた瞬間で以てビントアジャストが終ったことを認識しうるようにし、そして、その時点の電流の大きさで以て適正露出値を認識しうるようにして、必要な絞り値とシャッター速度との関係を決定しうるようにした、自動焦点・自動露出決定式のダイレクトカメラ。
【請求項４】
「請求項１」や「請求項２」や「請求項３」における「ダイレクトカメラ」と同じ目的のダイレクトカメラとして、ピントグラスとマガジンとを一体的に二重に重ねて構成部品化し（結像部体）、それをカメラ本体に出し入れ可能に填め込んで設けるか、或いは襷（たすき）連結（リンク）機構（「カメラメカニズム教室１・１３７頁（朝日ソノラマ・昭和５７年）」）と蛇腹とで離遠接近可能に設け、ピントを合わせる場合には、ピントグラスが所定の位置に設定されているが、マガジンは下方にスライドして下がってピント面は露出していてピントを合わせうるようにし、合わせ終って、合図を送るか或いは指令すると、ピントグラスはスライドして上方に飛び出し、マガジンが上方にスライドすると同時に結像部体が本体に入るか或いは接近して所定の結像位置にフィルム面が位置し、そして、露出が終ると、ピントグラスが下方にスライドして所定の位置に納まるようにした、「請求項１」や「請求項２」や「請求項３」におけるダイレクトカメラ。
【請求項５】
「請求項１」や「請求項２」や「請求項３」や「請求項４」における「ダイレクトカメラ」において、同一被写体を何枚も連続して撮影するようにした場合、マガジンがピントグラスを覆っていることになるので、本体外に、覗き枠が、撮影距離の変化に応じて変化する焦点距離の変化に応じて、出たり入ったりして、パララックスを補正しうるようにした、枠ファインダーを設けた、「請求項１」や「請求項２」や「請求項３」や「請求項４」におけるダイレクトカメラ。
【請求項６】
「請求項１」における「ダイレクトカメラ」の機能を応用して、携帯電話機（ＰｏｒｔａｂｌｅＰｈｏｎｅ）（ケイタイ）の画面を必要に応じて撮影するべく、合図を送ったり指令したりすると、撮影位置にスライドして移動し、到着すると、自動的にシャッターが切れて、終るとスライドして元の位置に戻り画面が視えるようになるようにした、「ポラロイドカメラ」をアダプターとして、或いは一体的に組み付けて用いるようにした、ケイタイ用ポラロイドカメラアダプター或いはポラロイドカメラ付ケイタイ。
【請求項７】
カメラを自分の手に持って自分の顔を撮りたいが、その場合、顔とレンズとの距離は、大体３５ｃｍくらいとなるのであるが、この撮影距離が少々前後にぶれても、それを十分に吸収できるような被写界深度となるような撮影画面を持たした、例えば、３５ミリハーフサイズの２４ｍｍ（縦）×１８ｍｍ（横）の撮影画面のカメラにおいて、顔の丈は３５０ｍｍ内に納まると見、撮影距離は３５０ｍｍ前後で撮影することになれば、焦点距離（ｆ）は、３５０ｍｍ（顔丈）／３５０ｍｍ（撮影距離）＝２４ｍｍ（カメラ画面の丈）／ｆから、２４ｍｍとなる。従って、過焦点距離（Ｈ）は、Ｈ＝ｆ２／Ｆ・ｃ（ｆ＝焦点距離、Ｆ＝Ｆナンバー、ｃ＝ｆ／１０００＝許容錯乱円の直径）＝２４２／１６×２４／１０００＝１５００となり、ｕ＝３５０ｍｍ＝撮影距離であるから、被写界深度（Ｄ＝Ｄｆ（前方）＋Ｄｒ（後方））は、Ｄｆ＝Ｈ・ｕ／Ｈ＋ｕ−ｆ＝１５００×３５０／１５００＋３５０−２４＝２８８ｍｍ、Ｄｒ＝Ｈ・ｕ／Ｈ−ｕ＋ｆ＝１５００×３５０／１５００−３５０＋２４＝４７７から、（３５０−２８８）＋（４４７−３５０）＝１５９ｍｍとなり、カメラを手に持って、自分の顔を自分で撮影する場合、少々カメラの位置が前後しても、良くピントの合った撮影が可能である。そして、一般撮影にも使用できるように、２４ｍｍ〜４５ｍｍのズームレンズ（標準３５ｍｍ）にしたい。
これでは、画面が小さいとする場合には、３５ミリフィルムで撮影画面を２４ｍｍ×３０ｍｍとして、ｆ＝３０ｍｍ、Ｆ＝１６、ｃ＝ｆ／１０００＝０．０３ｍｍから、Ｈ＝ｆ２／Ｆ・ｃ＝３０２／１６×０．０３＝１８７５ｍｍ、ｕ＝３０ｍｍ、従って、Ｄｆ＝Ｈｕ／Ｈ＋ｕ−ｆ＝１８７５×３５０１／１８７５＋３５０−３０＝２９９ｍｍ、Ｄｒ＝Ｈｕ／Ｈ−ｕ＋ｆ＝１８７５×３５０／１８７５−３５０＋３０＝４２２ｍｍとなり、（３５０−２９９）＋（４２２−３５０）＝１２３ｍｍの被写界深度となり、これでも実用できることが判る。そして、レンズを３０ｍｍ〜５５ｍｍ（標準４２ｍｍ）のズームとして、一般撮影も可能にしたい。
そして、「自分の顔が自分で撮れるポラロイドカメラ」として、撮影画面はＡＰＳハーフに当たる１７ｍｍ×１３ｍｍとし、従って、ｆ＝１７ｍｍ、Ｆ＝１６、ｃ＝１７／１０００＝０．０１７ｍｍから、Ｈ＝ｆ２／Ｆ・ｃ＝１０６３ｍｍとなり、ｕ＝３５０ｍｍであるから、Ｄｆ＝Ｈｕ／Ｈ＋ｕ−ｆ＝２６７ｍｍ、Ｄｒ＝Ｈｕ／Ｈ−ｕ＋ｆ＝５１０ｍｍとなり、従って、被写界深度は、（３５０−２６７）＋（５１０−３５０）＝２４３ｍｍとなり、十分機能することが判るので、その空中に浮かんだ光学像を、ポラロイドフィルムの一の画面サイズ７３ｍｍ×５５ｍｍに、両者の対角線長比９１．４ｍｍ／２１．４ｍｍ＝４．３／１のレンズで以て拡大したい。その場合、拡大レンズは、１５ｍｍ対６４．５ｍｍか或いは２０ｍｍ対８６ｍｍの相対的位置に位置することになる。撮影レンズは、一般撮影も兼ねたい場合には、１７ｍｍ〜３２ｍｍ（３５ミリ用の６５ミリに相当）（標準２５ｍｍ）のズームとしたい。
なお、同様な考え方で、その他のインスタントフィルム向きのカメラにも対応したい。
以上のような、一般フィルムおよびインスタントフィルム使用の「請求項１」から「請求項５」までにおけるダイレクトカメラにおける技術思想を必要に応じて用いた、ＳｅｌｆＳｈｏｔＣａｍｅｒａと呼ぶことにする、「自分の顔が自分で撮れる」ダイレクトカメラ。
【請求項８】
「請求項１」から「請求項５」までにおける「ダイレクトカメラ」における技術思想を応用して、Ａ４サイズ（２２０ｍｍ×３１２．５ｍｍ＝６８７５０ｍｍ２）の３分の１の２２９１７ｍｍ２のサイズの印刷用写真制作用の「１／３Ａ４サイズダイレクトカメラ」とその開発思想は、
撮影画面サイズ、    ２２９１７ｍｍ２＝Ｓ×１．４２（３１２．５／２２０）、Ｓ＝１２７ｍｍ、従って、１２７ｍｍ×１８０ｍｍ、
撮影画面対角線、    ２２０ｍｍ＝（１２７２＋１８０２）１／２、
撮影距離（ｕ）、    ｕ＝３２１９ｍｍとして、
焦点距離（ｆ）、    ｆ＝３０５ｍｍ、
許容錯乱円の直径（ｃ）、  ｃ＝ｆ／１０００＝０．３０５、
絞り値（Ｆ）、            Ｆ＝ｆ／ｄ（ｄ＝絞りの直径）＝１１．３として、
１８０＝２３５８（２７６８）ｍｍ、Ｄ＝（１８５６（１６７７）−２０７７）＋（２３５８（２７２６）−２０７７）＝２２１（４００）＋２８１（６４９）＝５０２（１０４９）ｍｍ。なお、Ｆ＝１６では、７２１ｍｍとなる。
【請求項１０】
「請求項８」における「印刷用写真用１／９Ａ４カメラ」でまた従来の中小型カメラで以て撮影したリバーサルフィルムのポジを３倍から４倍の面積のリバーサルフィルムにネガポジ引き伸ばしするにおいて、その光源に太陽自然光が使用できるように、潜望鏡のようなもので、反射鏡を上手く組み合わせて、所定の位置に導くようにして、光源となるようにした、ＳｕｎＬｉｇｈｔＥｎｌａｒｇｅｒと呼ぶことにする、リバーサルフィルム用引き伸ばし機。
【請求項１１】
前請求項までにおけるダイレクカメラ」或いは従来のカメラで以て人物などをスタジオする場合において、撮影ライトを太陽自然光を使用できるように、必要な採光ができるように、必要な広さにオープンできる天窓や側窓を設けた、ＳｕｎＬｉｇｈｔＳｔａＳｔｕｄｉｏと呼ぶことにする、太陽自然光利用写場。
【発明の詳細な説明】
【発明の詳細な説明】
私が、写真を始めたのは中学二年生の頃である。ＤＰＥも一応やって、写真に対する知識を持ち、今日まで、写真の有るべき姿を追い求めて来た。
今日、望むべきこととして集約すれば、「自分の顔が自分で撮れるカメラ」と「大判の版下写真」を深い被写界深度（ある一点に焦点を合わせたとき、その前後の一定範囲内ではピントの合った像が得られるが、この範囲内の、近点と遠点との距離範囲）で以て然も機動的に撮影できるカメラと言うことになる。
先ず、前者を達成するには、レンズの性質からして、焦点距離の短いレンズを用いなくてはならない。
長い間の懸案であったが、その可能性を計算して見る時間がなくて、今日まで、可能なものか不可能なものかはっきりさせることが出来なかった。人物を特に顔を撮る場合には、標準レンズより長めのレンズを用いなくては、自然な写真とはならない。
しかし、手に持って顔に向けた場合の撮影距離はせいぜい３５センチくらいであり、それと顔の丈とを比較して、顔の方が相当短くなれば宜しいのであるが、イーブンが関の山である。従って、如何に撮影画面を小さくして焦点距離を短くして、被写界深度を深くしても、このイーブン関係は改善されないので、使用レンズは可なりの広角となる。
従って、心から満足の行くものは設計不可能であるが、この法則に従わざるを得ないところのケイタイの広角レンズ画面くらいにはなることになろう。
これによって、ケイタイの画面に現れた人物の顔は、他人に介入されることなく確実に写真記憶されることになり、ケイタイ通信における安全性は相当保障されることになる。何しろ、「音色」が明瞭に出ないらしく、音声だけでは、一般電話のように、相手を確実に認識できないものであるらしいから。
私の希望に沿って、「ホーカス」などの写真週刊誌が出て久しいが、どうも木目の細かい写真印刷は少ない。よく研究してみると、これ程、印刷技術が進歩し、発行部数が増加したにも拘らず、それに応えるべき写真技術は全くと言ってよい程進歩していない。
週刊誌のグラビアは、多くの場合、ハッセルブラードなどの６×６判で撮られているようであるが、Ａ４の２２０×３１２．５＝６８７５０ｍｍ２に対して、５４５４＝２９１６ｍｍとたったの４．２％即ち１／２３．６しかなく、これでは全く白けて見れるものにならない。
そこで、４（１０１．６ｍｍ）×５（１２７ｍｍ）インチ判＝１２９０３ｍｍ２で撮って見ても、Ａ４判（６８７５０ｍｍ２）の１／５．３しかなく、これでも満足できるものには仕上がらない。
そこで、５（１２７ｍｍ）×７（１７８ｍｍ）インチ＝２２６０６ｍｍ２（Ａ４判の１／３）判はぴったりと理想的なので、３ｍ２６ｃｍ先の人物の全身を撮るのに、Ｆ１６に絞ると、被写界深度は１０５センチとなり、この被写体に対しては十分に使用に堪える。しかし、２ｍ０６ｃｍ先の上半身の被写体となると、被写界深度は３９ｃｍしかなくなり、十分に対応できるとは限らなくなる。
そこで、「特許請求の範囲」におけるような、１／９Ａ４サイズのカメラも必要になると思われる。
そして、従来のカメラは、一眼レフカメラが主体であるが、これは二眼レフカメラに比べ口径の広い明るいＦ値の小さいレンズが使用でき、それだけピントグラスが明るく従ってピントが合わせ易い。しかし、シャッターを切る前にその都度レフレクター（反射鏡）を跳ね上げようにしなくてはならず、自動連続撮影をするような場合にも、レフはその度に跳ね上げられなくてはならない訳で、その機構は直ぐに狂いが生じ、職業的使用者はその度に修理に出さなくはならないであろう。
このレフを避けるには、測距儀（距離計）連動式にする以外になかった。しかし、この方式は、現在ライカに生き残っているだけで、昔のブローニーフィルム用のセミパールとかスーパーシックスとかは消えてしまい、進歩して今日に生き続けることはなかった。
それは、この測距儀では、ピント板で例えばポートレイトにおいて顔とか腰とかの部分部分のピントが見れるようには、詰まりスポットピントを合わすことが全く不可能な為であろう。
このスポットピントを識別するには、現在では、大判のビューカメラに拠る以外になかった。しかし、これは、ピント板と乾板との装着機能に何百年も全く工夫がなされず、現在でも、三脚に乗せて、ピントを暗幕を被って合わせ、床に置いた乾板を取り上げて装着すると言う式のままのものである。
これでは、今日の被写体の動態化に全く付いて行けない。ピントグラスとフィルムはカメラ本体に機能的にアタッチされていなくてはならない。そして、ピント合わせが指先操作で以て簡単に出来、また、出来ることなら、現在のビューカメラの結像の上下左右逆像を正像に直す工夫もあると宜しい。これらが上手に総合化されれば、大判カメラも手に持って撮影できる可能性が出てくる。
そして、私の観察では、良質のグラビアを得るには、写真画面が印刷画面の三分の一以内であることが望ましいと思われる。従って、それぞれの印刷画面に応じたカメラが開発されなくてはならない。
従って、私は、印刷グラビアには、一般にＡ４とＢ４があるが、Ａ４は面積でＢ４の約１．３倍であり、縦横比は同じ１対１．４２であるので、初項Ａ４公比１／３の数列的に印刷用カメラのシリーズを揃えれば、Ｂ４シリーズの印刷画面にも対応できる。
そして、大判カメラでは十分な機動性が出ない場合には、このシリーズの中判カメラや小判カメラで以てその目的を十分果たし、そのリバーサルポジを公比３のシリーズでリバーサルネガポジに引き伸ばして行き、最後に１／３Ａ４サイズかＡ４サイズあるいはＢ４サイズのリバーサルポジに仕上げうるようにしなくてはならない。
私は、この引き伸ばしシリーズを主張し始めてそれは久しい。しかし、今日まで、それを達成した者はない。リバーサルフィルムには、デーライトタイプとタングステンタイプとがある。私も詳しい訳ではないが、写りはどうも昼光用が良いようである。それは、タングステン光は、波長の範囲が自然光より狭く色発現の範囲が限られるからである。
タングステンタイプを用いて、引き伸ばしの過程を行なっても宜しいが、上に述べたようなことであるので、どんな被写体に対しても向くと言うことにはなるまい。そこで、この引き伸ばし過程にもデーライトタイプを使用したい。しかし、今日まで、それに向いた自然光に近い波長構成を発する電球が無かったらしい。従って、上に述べたように、私が幾ら発想しても、段階的に小ポジから大ポジに引き伸ばして行く、良質な印刷版下写真の制作法は、開発できなかったようである。
そこで、私は、その引き伸ばし過程の光源に自然太陽光を用いることを気付いた。その引伸し機を提案した次第である。
また、今日のグラビアを、例えば、月刊アサヒ芸能などを観ると、その殆ど全てが戸外の自然光で以て撮影されている。郊外に重い大きな機材をその都度持って撮影小旅行しなくてはならないらしい。
また、ホテルや式場などの記念写真にどうしても発色の良いものが出来なかった。私の娘も約十年前、見合い写真を撮るのにあれこれあこが良いそこが良いのだと紹介されて、撮ったのであるが、結局、人様に見て貰えるようなものに仕上げて貰うことはなかった。
現在の写場の光源は、全てストロボである。書籍には、キセノンランプの発色は昼光に近いとあるが、写った写真を見ると、そのようには思えない。そして、その発光は、１／１０００秒とかのほんの一瞬であるから、その時に必要な光源数とそれに拠ったそれぞれの光量を被写体距離の変化に合わせて、前以て設定することは、ちょっと不可能である。どうかしようと思えば、被写体の方々に余程多くの露出計を張り付けて、何回も試し被光して適正照明発光を検索できるシステムなどでも発明しない限り、ストロボ撮影はスタジオには採用することは出来ないと思われる。
ここは、各種の撮影に必要な自然太陽光を十分に採り入れうるように、オープンできる天窓や側窓を持った「サンライトホトスタジオ」を建設しなくてはならないと思っている。
そして、街の写場やホテルや式場などにも、大きな反射板をいろいろと組み合わせて、どうかして、自然太陽光をホトスタジオに採り入れる工事が出来ないかと思っている。
また、今日ほどテレビのビデオスタジオが普及している時代はない。それが皆屋内式らしい。昔の映画の撮影所は、皆オープンセットであった。そのことを思うと、正しい光源は太陽光に頼る以外にないらしい。テレビスタジオも可能な限り自然太陽光を全面的にか或いは部分ミックス的にか採り入れる工事が出来ないか研究してみたい。
また、ライブではない番組向けの上のようなサンライトテレビスタジオの犬がかりなものを東京郊外などの広大な敷地に、私の提案している「サーキットテレビ（ヌーベルケイブルテレビ）」の実用化に備えて、大々的に建設したいと考えている。
それに合わせて、テレビ放送用の映画撮影機と映写機を開発したいと予てより考えて来た。どこにそんな需要があるのか知らないが、今日のテレビデスプレーは極端に大型化している。恐らく、今日のテレビ事業家は、特定裕福家庭のみにテレビ電波を発射して、その近在の住民は、その家庭を電波で強制的に覗かさせられているのであろうから、テレビも序でに覗かせて貰うことになるようなものであろう。
私は、テレビ画面の大きさは、２５インチのこれまでの１対１．３３のブラウン管で、日本の一般家庭には十分だと考えている。２５インチは、実質画面で３６．４ｃｍ×４８．４ｃｍ＝１７６１．７６ｃｍ２の広さであり、昭和４０年代の高級品は１９インチであったと思うが、その実質画面の大きさは、２７．６ｃｍ×３６．８ｃｍ＝１０１５．６８ｃｍ２であるので、２５インチの５７．７％である。その時代には、殆どの録画は、１６ミリ（９．６５ｍｍ×７．２１ｍｍ＝６９．５８ｍｍ２）フィルムで行なわれていたと言う（「万有百科大事典・科学技術・４３２頁」）が、それは、１０１５．６８ｃｍ２÷６９．５８ｍｍ２＝１４５９．７から判るように、実質面積で１／１４６０にしか過ぎない。それでも、テレビ画面の画質は相当確りしていたようである。
従って、私は、１４インチの専用デスプレーセットで以て家庭用のテレビフィルムプロジェクター（ＴＦＰ）を開発したい。１６インチフィルムに名画をコピーして、それをレンタル方式で以て広く普及できないかと考えている。
映画は、１秒間２４コマであり、１６ミリは１フィートに４０コマ入る。従って、このフィルムは、１秒間に１８．２９ｃｍ走ることになる。３０分物は約３２９ｍ、４５分物は約４９４ｍ、６０分物は約６５９ｍ、９０分物は９８８ｍである。
リバーサル映画フィルムは、乳剤膜の厚さ１５μｍベースの厚さ１３０μｍの計１４５μｍくらいまでの厚さらしい。磁気記憶テープは、厚さ３５μｍで１１００ｍまでは１０号リールに納まる。フィルムの厚さは、１４５μｍ÷３５μｍ＝４．１４と、テープの約４倍である。従って、フィルムの３２９ｍは、テープの１３６２ｍくらいと見ることが出来る。従って、１０号リールでは食み出すが、１２号には納まろう。１２号とは恐らく１２インチのことを言うのであろうから、その直系は３０．４８ｃｍとなる。大体ＬＰレコードの直径と等しい。
例えば、１９６１年度外国部門アカデミー賞のソヒィアローレンの「昨日・今日・明日」は上映時間１１９分である。これなら、１２号か１３号のリール２本に納まる。実用的でないとは言えまい。１６ミリには２．５ｍｍ幅のサウンドトラックが付いているが、これは、コンオプト方式かコンマグ方式かで以て可なり良質な音声が録音されるとされて来た。ところが、従来の磁気録音テープは軟鉄ベースであり、録音が本当に出来るものかどうか疑わしい。そこで、光学録音に頼るしかないが、従来の方式では「音色」が良く出ず、戦後初期の映画のように、一種独特の声となる。私は、もう一年くらい前からこの解決に挑戦しているが、この特許出願のように、別な発明が割り込むので、未だ取っ掛かりの状態にある。近くこの問題を解決して、本格的な１６ミリレンタル映画を物にしたいと躍起である。
レンタルフィルムは、いろんな人が利用するので、耐久性を強化しなくてはならない。乳剤面をコーティングするプラスチツクなどの良い物質が欲しい。１６ミリの９．６５ｍｍ×７．２１ｍｍの画面の対角線長は１２ｍｍであるから、１／２インチの撮像管３本構成で行けることになる。
マグネトロンを見ても判るように、量産化しない内は大変高いもので、電子レンジは極めて高価なものであったが、今日では、千円を切っている。このイメイジングチューブが家電商品の一部を構成するようになり、量産化されるようになれば、価格は可なり安いものになり、広く世界に普及して行くに違いない。
従来の映写機とは趣を変えて、ＶＴＲのように箱型にして、上蓋を開けて、空リールをセットし、その上に実リールをセットすれば、機能するようなものにしたいと考えている。
この１６ミリでは、そのコンパクト性に不満があるようであれば、私は、８ミリテレビフィルムプロジェクターで行けるものなら行っても宜しい。８ミリは、６９．５８ｍｍ÷２１．４９ｍｍ（＝５．３６ｍｍ×４．０１ｍｍ）＝３．２と、１６ミリの１／３．２の面積であるので、１４インチの実質画面２１．８ｃｍ×２５．９ｃｍ＝５６４．６ｃｍ２の１／３．２の１７６．４ｃｍ２（１１．５ｃｍ×１５．３ｃｍ）が望ましいことになり、ブラウン管は、実用以下の大きさになってしまう。しかし、９インチ（実質画面１６．４ｃｍ×２１．８ｃｍ）ブラウン管も無くはないので、物になるものならやって見たい。しかし、これは、１８コマ／秒であり、７２コマ／フィートであるので、フィルム速度は、７．８４ｃｍ／秒となり、１６ミリの１８．２９ｃｍ／秒の１／２．３しかない。従って、コンオプト方式に余程木目が細かく精密に記録再生できるものを発明しない限り、音声が上手く行かない。
従って、今の所、１６ミリで行くしかなく、それに必要にして十分対応できるサイズのブラウン管などのディスプレーを使用した「テレビフィルムプロジェクター」を設計開発したい。
このようなことから、印刷に比べて、ボラウン管画面は、映画画面と同じように、原画が相対的に小さくて済むことが判る。そこで、私は、スライド写真をブラウン管の画面に写す「テレビホオトプロジェクター」を発想している。
昭和４８年頃には、１６ミリフィルムを使用する１２ｍｍ×１７ｍｍ画面、９．５ミリフィルムを使用する８ｍｍ×１０ｍｍ画面の超小型カメラがあった。現在、これらサイズのフィルムが存在しているかどうか知らないが、若し、現在でも、リバーサルカラーフィルムにこれらサイズのものが出せるのであれば、それらを用いるスライド写真システムを、また、それらフィルムが製造できないのであれば、２４ミリのＡＰＳフィルムのハーフサイズの１７ｍｍ×１３ｍｍ画面の２４ミリハーフカメラを開発して、上記プロジェクター用のスライド写真を撮るようにしたいと考えている。
そして、マニア用に、フィルム一本が手軽に現像できる「リバーサルフィルム現像機」を是非開発したい。嘘か本当か知らないが、そのフィルムの反転に用いる光に代わる薬剤があると言う人があったので、若し本当なら、比較的に易しく開発できると思っている。
このような、映画の家電化とは反対に、映画の大スクリーン化も考えている。ひとディケイド前、アメリカでは、郊外の広大な用地に、車に乗ったままで入場してそのままで観覧できる大スクリーンのビッグカースルーシアターが試みられたと聞いている。しかし、その後、話題になったことがないので、ファンが定着するようには進歩発展しなかったのであろう。
わたしは、この野外映画劇場を世界の大都会の郊外に建設して見たいと考えている。これまでの映画館では、映写は、客席の後ろから行なわれていた。従って、劇場を大きくして幅広く奥行き深くするに従って、映写フィルムのコマの面積は広くワイドになって来た。
しかし、このカースルーでは、スクリーンを工夫して、その背後から投写して、映写機が観覧場の邪魔にならないようにしなくてはならないと考えている。その場合、従来の映写機の方法では、スクリーンの画像が左右反対になるので、映写機にフィルムの画像を左右逆転させるレフレクター（反射鏡）を組み込んで、この問題を解決したい。
そして、何よりも大切なことは、アベックの観客が椅子に並んで掛けて観劇できる洒落た小型の車を開発しないと、このカースルーの普及はありえない。アメリカでは、この対策を思い付かなかったところに萎んで廃れてしまった主因があったと言えよう。
そこで、私は、オープンカーの運転席の２シートを反対向きに回転できるようにして、反対向きにも座れるようにするか、また、背凭れを反対側に移動させうるようにして、シートの向きを反転させうるようにするか、また普通のボディーの車においては、フロントガラスが上に向かって跳ね上がりうるようにしてフロントシートの前面が開展しうるようにしても、また、フロントガラスを透明なものにして、そのガラスの内外側を上手く拭く方法を考案して良く観えるようにしても宜しい。
そこで、音声をどのようにして各車に届けるかが問題となる。カーラジオに放送できれば、問題はないが、何千台の車に一斉に放送できるものなのか、私は、今のところでは信用が持てないでいる。
私は、現在、アンテナに新しいアイデアを持っており、近く特許出願したいと考えているが、それが真の受信アンテナたりうれば、一定エリア内のラジオ受信は平等化しうると思っている。
また、波長の短い厳密に言えば山谷の極めて低い電波ならば、光に対する光電管のような「電波電管」が出来ないかと思っている。その管内の受信アンテナ電流を他の電源の電流で以てその場で増幅できることになるので、弱い電波に対応でき、電波公害を軽減できるのではないかと期待している。
こう言うような色々な対策を講じると、この車用野外大映画劇場は、私は、プロ野球のように、定着した大産業に発展して行く可能性がある。
さて、私は、先日、広島のフタバ図書メガ店で、アメリカの雑誌を見て驚いたのであるが、用紙が粗末で印刷がとても不味いのである。その時、私は咄嗟に、これは連続カラー印刷機に満足の行くものが存在していないのだと思った。
私は、十数年前、カラー印刷に興味を持ち、黄、赤、藍、墨の４原色をぴったり重ねうるよう印刷するにはどうしたら宜しかろうかと、その当時開発されていた自動連続カラー印刷機を見て考えたことがある。
シート印刷では、紙面にマークを打って、そのマークを目印に４原色を合わせて刷るらしい。
しかし、長尺のロールペーパーを４原色の４印刷機に次々に通して印刷して行く場合、その符牒を確認して合わして行くには、連続紙を単純に同一スピードで各印刷機を走らせたのでは、一を合牒しようとすると、二、三、四に影響して、それらを狂わすことになる。従って、４台の印刷機の間におけるロールペーパーにそれぞれ弛みが生じるようにロールペーパーを先ずセットしうるようにしてセットしてスタートしうるようにすれば、電子的合牒も可なり容易なものになろうと考えている。
そして、その印刷精度を確実にするには、連続用紙の伸縮性を極力排除しなくてはならない。その上、出来るだけ真っ白であることが望まれる。これを併せて達成するには、私は、セルロイドフィルムなどの芯を入れた印刷用紙特にカラー印刷用紙を開発したいと考えている。
そして、私は、グラビア印刷の輪転機の優秀なものを是非開発して、単純なグラビアマガジンを世界に向けて発刊したいと考えている。
今日の傾向は、全てに亘って、森羅万象の事実を忠実に伝え売るのではなく、事実には目を瞑り、自己の思想を余りにも売りたがろうとしすぎる。言葉で以て森羅万象を伝えようとすれば、そこには必ず何らかの形で以て思想が入る。
私は、思想を語らない「マグホトグラビア」でないと、世界の諸国は決して快くは刊行物を受け入れてくれないと思う。
今日、人間生活の関り合いは、世界的となっており、世界の森羅万象を出来るだけ正しく誰もが知りたがっている。カップラーメンを食べるに就けても、アメリカの小麦農園地帯はどんな様子なのか、また、ワーゲンに乗れば、ドイツの車事情はどんなのか、また、諸外国の男女はどんな暮らし振りをしているのか、また、諸外国の男女のヌードはとあらゆることが知りたい。これらを言葉で以て報道するよりも、今述べたように写真で伝えることが扇動性がなく正確である。
私は、毎週アジア諸国に向けて３億冊欧米に向けて５億冊のマグホトグラビアは出ると思う。一冊２５０〜５００円くらいであろうか。毎週２０００億円から４０００億円にも昇り、年間では、１０兆４０００億円から２０兆８０００億円にも達することになる。若し、成し遂げれば、自動車輸出の数倍にも達する超大輸出産業となる訳である。
ここ本明細書において述べて来た数々の発明は、その超大輸出産業への夢を実現するどれも無くてはならないものであり、多大な努力の上に世界に先がけて実用化し、種切れ状態の我国輸出産業の華として育成されるべきであろう。
それにしても、印刷産業は、膨大なパルプ資源を必要とする。しかし、世界中の山林は禿山化しているところが多い。それらを豊かな森林に蘇らせてパルプ資源をリサイクルしたい。
それには、私は、そこで成育しうる育種の種子を大々的に蒔く以外に採るべき方法はないと思う。本年は余り騒がれなかったが、日本列島を貫く山脈の山々には、花粉症を全土に振りまく程の「杉の種子」が莫大に実る。私は、これを採取して、世界の禿山に送りたいと考えている。現在、こう言う森林種子資源を擁している国は我国しかなく、我国が有利にバルプ資源を買い付ける場合の有力な武器となるに違いない。
なお、アメリカの雑誌の印刷インキの殆どが染料系であった。現在、日本もこの傾向に落ちて行きつつあるようである。美しい写真印刷の為に発色の好ましい顔料インキの再生開発にも注力しなくてはならない。
かくなれば、全ての国民の耳目を一点に集め、何事にも新鮮にして広範な情報を上手く遮断し、庶民の心を嫉妬と飢餓に追い込み、無知無能化して、永代支配の確立を夢見て膨大な健全市民を死と障害と生活能力喪失に落とし込めた水平同和主義から国民は個人主義的自由主義に徐々に開放されて行って、誰でもが何の妨害もなく自己の周りの事実について正直に語り合える時代がやって来よう。
何事に就いても、正確な情報がそれぞれの人に入るようになり、自己が自己本意に何事も妄想的に解釈して自己の不遇や不満を飾り隠す必要のない世の中がやって来なくてはならない。
これまでのそう言う生き方は、どうしても罪に陥り易く、一旦陥ると、何らかの思想で以て自己の罪を正当化し、その思想の親分に奉仕することによって、自己を防衛し続けなくてはならなくなる。そして、他人の非難を抑えるために、自己を飾る思想を吹きながら、なお一層の暴力で以て、周囲の他人を脅し続けなくてはならなくなる。
こう言う状態に陥っている人を、何時からか、人は非人と呼ぶようになった。決して、その開放運動家が言うように、歴史のある時期に政策的に作られたものではない。
この状態の人々が自らを開放して行くには、自己の飾りの一切をかなぐり捨てて丸裸になり、自己を飾る思想も生き方も必要でなくなることである。これは、一種の宗教的な生き方であり、その丸裸を可能にしたものは宗教的な托鉢と言う社会慣習であったのではないかと思われる。
今日の近代社会では、最早托鉢は成り立たない。そう言う救いが制度化されて行くのが近代社会と政治の在り方である。その意味で、望みさえすれば、誰にも命を繋ぎ再起の出来る最低の保障だけは、誰の拘束を受けることなく共有していなくてはならない。
私は、公共機関において、希望しさえすれば、誰に対しても、大きなコッペパンと函牛乳と果物缶詰とが支給されるようにしたいと願っている。
人生で生活下層に落ち込むことは、それ自体が罪滅ぼしを意味している筈である。然るに、そうなればなるだけ、悪を仕掛けられなくてはならない社会の在り方は中世的であり現代社会のものではない。
こう言う現代の中世化は、こともあろうに超近代的な電波技術によって仕向け維持されている。この電波技術の使用は、小淵・森の両内閣によって終焉に近づきつつあったが、小泉内閣によって、再び蘇生発展されている。
今、総裁の再選期が訪れて、四人とかの候補者があるが、この電波技術で以て、これ以上の罪人造りはしないと公約する人は一人も現れない。
彼らは、終には、生きるか死ぬかの崖縁に立たされることになり、彼らの父祖父がそうであったように、外国へ逃亡したり死を選んだりすることになって行こう。
それは、終には、彼らの周りには、ただ一人の支持者もなくなり、強度の孤独感と脅迫感を持たざるをえなくなるからである。それは、一種の精神錯乱に陥ることであり、これまで、その状態を財政の放漫で以て繕えて、決定的な陥落を経験することのなかった者に一度に襲いかかる恐怖である。
私などは、常に正さと有能故に、その者たちから孤独を押付けられ、故なく彼らの選挙の為に十数回も病院に強制的に入院させられたりして来たので、疎外と孤独に対して免疫が出来てしまったが、こう言う免疫のない人にとっては、誰からも相手にされず見捨てられると、精神錯乱を招きそうな恐怖感に襲われて行くのであろう。
こう言う暗黒政治が現在日本以外にどこの国においてどの程度行なわれているのか知らないが、テレビの普及率などから見ると、所謂先進国を除いては、近代文明文化的な娯楽の普及は微々たる状態であり、これらの国の人々が階級を問わず電波暗黒政治から一時なりと開放されたいと望んで、手頃な娯楽を求めていることは確かなことであろう。これまで、そう言う開放と言えば、下層階級政治家が庶民の経済水準の低さを煽って歴史的名門や地主や資本家経営者潰しを嗾ける政治運動を意味していた。従って、そう言う娯楽出版物も全て破壊思想で以て庶民に気休めを売るに過ぎないものであって、その暗黒を本気に除き晴らそうするものではなかった。襲い掛からせてはその時を凌がせ凌がせで、庶民の生活を根本的に向上させて、平和な庶民社会を演出することは本当に難しかったらしい。
しかし、日本の古来からの生活思想のように、兎に角一生懸命働きさえすれば、生活は少しずつ楽になるものだと言う生活信条をもたせ、働く機会を少しでも与えて行くことは国を保つ上には大切なことである。
経済の根本は働きの交換として成り立っている。これらの国の人々の働きとここに述べたような超近代的な文明文化製品との交換が成り立つよう、出来るだけその国の資源で以て生産される物資などが開発されると本当に有り難い。前に述べた、日本の杉の種子を以てパルプ資源を育成開発して貰うことなどは、その趣旨に沿うものであろう。
その交換物資の生産意欲即ち生活向上への意欲を刺激するものは、東西古今どこの国においても見習うべきより高い分明文化である。
ここに、私の提案した新しい文明文化が程度の差はあれ出来るだけ多くの国の民族に暗黒的野蛮な電波抑圧から開放されたい意欲を与え、税金と言う形を通して金持ちから施しを受けようとするのではなく、少しなりとも精神的経済的独立を達成する自由を要求する気力を守り立てることなることを期待している。
古今東西、これまでのそう言う要求は、「私には夢がある。何時の日か、山と言う山は削り取られ丘と言う丘は平らにされ、谷間という谷間は埋め高められ、でこぼこしたところは均され、曲がりくねったところは真っ直ぐにされ、そして神の栄光が啓示されて、人みな友にそれを見る時が来るであろう」と言うマーチン・ルーサー・キングに代表されるように、自分の働きを超えて、他人の働きを暴奪することによって平等を達成しようと嗾ける思想家を必要とした。従って、そう言う思想が国内に蔓延すると、下層階級の労働意欲は全く無くなり、働き手から暴力的に直接に或いは税制や同和対策制度などを通して間接的に強引に盗りさえすれば宜しいとなって、現在の日本に見られる如く、全く働く意欲は退廃し生産能力が減退して、経済破綻を来すことになる。
こう言う思想活動が国内に蔓延することを大変と恐れる「普通の国」が世界的にみれば殆どである。今日の日本の映画や音楽や文学の輸入はお断わりと言うことになるのは当然である。
しかし、これまでの日本の電子商品は全てそう言う水平同和思想のソフトを必要とするものであった。即ち、建て前と正体とは全く別ものであり、水平同和思想を強制的に配信しようとするためのもので、それぞれが自己の生活信条と能力に従って選択しうるようにはなりうるものではなかった。
こう言うシステムのものを平気で近隣諸国に売り込みに行く大臣になっている人も多々あるが、その提案がその国にどう言う結果をもたらすことになるか、即ち少し以前、共産主義は国の破壊思想として忌み嫌われていたところに全く同一な破壊をもたらすものである水平同和思想を必要とする現在の電子システムを売り込みに本人そのものもそのような破壊思想家が訪国して来ることを歓迎する外国政府はあるまい。
我国の政府を水平同和主義者が占めている内は、近隣諸国には相手にされないと言うのが常識であるから、我国に真の経済回復は望むべくもないことが理解されなくてはならない。
そこで、今、立候補している４人の総裁候補者に何よりも先ず望まれることは、その破壊思想から直ちにきっぱりと決別することを国民の前に宣明することである。私有財産の直接間接の強奪略奪をしたり勧めたりするため、国体（理想の法律体系）を弛めたり破ったりは決してしないしさせないときっぱりと誓って欲しい。
この誓約が宣明されさえすれば、国民と国は、必ず、「人間は如何にあるべきか」を常に意識し尋ねる正しい進路に必ず回帰して行くに違いない。
破壊思想を全く語らないまたその必要性の全く無い「日本のそして世界の自然と肉体と健全な文明文化」を広大無辺に世界の国々に媒介することこそが今求められている真のメディアである。
人間は本質的には動物であり、他人より少しでも勝りたい。しかし、他の如何なる動物よりも狡猾である。ついつい一緒に盗賊化しようと誘いかけ誘われる。この狡猾さが今日では先鋭に高度化して「人権思想」とか言うものと化し今や暗黒化の極みに達しようとしている。
その狡猾本能丸出しの水平同和主義が人間性を破壊してしまい、人間性を保つ上の歴史的所産である道徳性を喪失させ、法律までも否定するまでになっている。人間が生きると言うこと即ち正常な経済行為には絶対に常にギブアンドテイク即ち交換の原則がフェアに成り立っていなくてはならない。日本の経済の世界的信頼性を回復するには、何よりも先ず「人間は如何にあるべきか」が問い直されねばならない。
そして、真の交換は「愛情と知性と信義」を商う真の商行為の中にある。この自覚の持てる日本精神を少しでも体現できる人物が次の政府の指導者になってくれることを祈っている。
なお、ここに述べた数々の発明が実用化され、華と開くには少し間が要る。心有る人は、今にも「日本のそして世界の自然と肉体と真の文明文化」を世界に媒介したいことであろう。従来の写真技術は印刷向きに特化されたものは殆どなかったが、その不満を今暫し克服して、新しい人間性時代への先駆けとなってくれることを祈っている。
【手続補正書】
【提出日】平成15年12月16日(2003.12.16)
【手続補正２】
【補正対象書類名】特許請求の範囲
【補正対象項目名】全文
【補正方法】変更
【補正の内容】
【特許請求の範囲】
【請求項１】
装填フィルムの画面とピントグラスの位置がレフレックスカメラのように別々な位置でないカメラにおいて、その結像面にフィルムのみならずピントグラスも位置しうるように、ピントグラスとフォーカルプレンシャッター付パッケイジフィルム（容器に入った或いは包装された多撮影コマ数のフィルム）マガジン（フィルムを籠めておくケース）とをレールに填ってスライドしうるように直結させて、ピントを合わせる時折にはピントグラス部が結像面に位置しえ、撮像する時折にはマガジンのフィルム面が結像面に位置しうるようにして、撮影できるようにした、ＤｉｒｅｃｔＬｉｇｈｔＰｕｎｔｇｌａｓｓＨａｎｄＣａｍｅｒａ略してダイレクトカメラと呼ぶことにする、直通光焦点板利用焦点調節式手握式写真機。
【請求項２】
「請求項１」における「ダイレクトカメラ」における「ピントグラス」には逆像を結ぶので、それをレンズで以て次のピントグラスに正像を結ばせるようにした、ダブルピントグラス式正像化方式の、リバーサルダイレクトカメラと呼ぶことにする、ダイレクトカメラ。
【請求項３】
「請求項１」や「請求項２」における「ダイレクトカメラ」において、ピントグラスに全面的に或いはそれを分割的に或いは又一定面積的に透明な光導電物質膜（当る光の強さに拠って導電率（電気伝導率）、電気抵抗が変わる物質（「入門カラーテレビ」・１０頁・東京電気大学出版局・１９９６年）を設け、それに一定の安定した電圧を加えうるようにして、それから発生する電流の大きさが、撮影レンズの移動によってピント像が明暗するに従って変化する場合の直前値と今値とを測定比較して、直前値が今値を越えた瞬間で以てピントアジャストが終ったことを認識しうるようにし、そして、その時点の電流の大きさで以て適正露出値を認識しうるようにして、必要な絞り値とシャッター速度との関係を決定しうるようにした、自動焦点・自動露出決定式のダイレクトカメラ。
【請求項４】
「請求項１」や「請求項２」や「請求項３」における「ダイレクトカメラ」と同じ目的のダイレクトカメラとして、ピントグラスとマガジンとを一体的に二重に重ねて構成部品化し（結像部体）、それをカメラ本体に出し入れ可能に填め込んで設けるか、或いは襷（たすき）連結（リンク）機構（「カメラメカニズム教室１・１３７頁（朝日ソノラマ・昭和５７年）」）と蛇腹とで離遠接近可能に設け、ピントを合わせる場合には、ピントグラスが所定の位置に設定されているが、マガジンは下方にスライドして下がってピント面は露出していてピントを合わせうるようにし、合わせ終って、合図を送るか或いは指令すると、ピントグラスはスライドして上方に飛び出し、マガジンが上方にスライドすると同時に結像部体が本体に入るか或いは接近して所定の結像位置にフィルム面が位置し、そして、露出が終ると、ピントグラスが下方にスライドして所定の位置に納まるようにした、「請求項１」や「請求項２」や「請求項３」におけるダイレクトカメラ。
【請求項５】
「請求項１」や「請求項２」や「請求項３」や「請求項４」における「ダイレクトカメラ」において、同一被写体を何枚も連続して撮影するようにした場合、マガジンがピントグラスを覆っていることになるので、本体外に、覗き枠が、撮影距離の変化に応じて変化する焦点距離の変化に応じて、出たり入ったりして、パララックスを補正しうるようにした、枠ファインダーを設けた、「請求項１」や「請求項２」や「請求項３」や「請求項４」におけるダイレクトカメラ。
【請求項６】
「請求項１」における「ダイレクトカメラ」の機能を応用して、携帯電話機（ＰｏｒｔａｂｌｅＰｈｏｎｅ）（ケイタイ）の画面を必要に応じて撮影するべく、合図を送ったり指令したりすると、撮影位置にスライドして移動し、到着すると、自動的にシャッターが切れて、終るとスライドして元の位置に戻り画面が視えるようになるようにした、「ポラロイドカメラ」をアダプターとして、或いは一体的に組み付けて用いるようにした、ケイタイ用ポラロイドカメラアダプター或いはポラロイドカメラ付ケイタイ。
【請求項７】
カメラを自分の手に持って自分の顔を撮りたいが、その場合、顔とレンズとの距離は、大体３５ｃｍくらいとなるのであるが、この撮影距離が少々前後にぶれても、それを十分に吸収できるような被写界深度となるような撮影画面を持たした、例えば、３５ミリハーフサイズの２４ｍｍ（縦）×１８ｍｍ（横）の撮影画面のカメラにおいて、顔の丈は３５０ｍｍ内に納まると見、撮影距離は３５０ｍｍ前後で撮影することになれば、焦点距離（ｆ）は、３５０ｍｍ（顔丈）／３５０ｍｍ（撮影距離）＝２４ｍｍ（カメラ画面の丈）／ｆから、２４ｍｍとなる。従って、過焦点距離（Ｈ）は、Ｈ＝ｆ２／Ｆ・ｃ（ｆ＝焦点距離、Ｆ＝Ｆナンバー、ｃ＝ｆ／１０００＝許容錯乱円の直径）＝２４２／１６×２４／１０００＝１５００となり、ｕ＝３５０ｍｍ＝撮影距離であるから、被写界深度（Ｄ＝Ｄｆ（前方）＋Ｄｒ（後方））は、Ｄｆ＝Ｈ・ｕ／Ｈ＋ｕ−ｆ＝１５００×３５０／１５００＋３５０−２４＝２８８ｍｍ、Ｄｒ＝Ｈ・ｕ／Ｈ−ｕ＋ｆ＝１５００×３５０／１５００−３５０＋２４＝４７７から、（３５０−２８８）＋（４４７−３５０）＝１５９ｍｍとなり、カメラを手に持って、自分の顔を自分で撮影する場合、少々カメラの位置が前後しても、良くピントの合った撮影が可能である。そして、一般撮影にも使用できるように、２４ｍｍ〜４５ｍｍのズームレンズ（標準３５ｍｍ）にしたい。
これでは、画面が小さいとする場合には、３５ミリフィルムで撮影画面を２４ｍｍ×３０ｍｍとして、ｆ＝３０ｍｍ、Ｆ＝１６、ｃ＝ｆ／１０００＝０．０３ｍｍから、Ｈ＝ｆ２／Ｆ・ｃ＝３０２／１６×０．０３＝１８７５ｍｍ、ｕ＝３０ｍｍ、従って、Ｄｆ＝Ｈｕ／Ｈ＋ｕ−ｆ＝１８７５×３５０１／１８７５＋３５０−３０＝２９９ｍｍ、Ｄｒ＝Ｈｕ／Ｈ−ｕ＋ｆ＝１８７５×３５０／１８７５−３５０＋３０＝４２２ｍｍとなり、（３５０−２９９）＋（４２２−３５０）＝１２３ｍｍの被写界深度となり、これでも実用できることが判る。そして、レンズを３０ｍｍ〜５５ｍｍ（標準４２ｍｍ）のズームとして、一般撮影も可能にしたい。
そして、「自分の顔が自分で撮れるポラロイドカメラ」として、撮影画面はＡＰＳハーフに当たる１７ｍｍ×１３ｍｍとし、従って、ｆ＝１７ｍｍ、Ｆ＝１６、ｃ＝１７／１０００＝０．１７ｍｍから、Ｈ＝ｆ２／Ｆ・ｃ＝１０６３ｍｍとなり、ｕ＝３５０ｍｍであるから、Ｄｆ＝Ｈｕ／Ｈ＋ｕ−ｆ＝２６７ｍｍ、Ｄｒ＝Ｈｕ／Ｈ−ｕ＋ｆ＝５１０ｍｍとなり、従って、被写界深度は、（３５０−２６７）＋（５１０−３５０）＝２４３ｍｍとなり、十分機能することが判るので、その空中に浮かんだ光学像を、ポラロイドフィルムの一の画面サイズ７３ｍｍ×５５ｍｍに、両者の対角線長比９１．４ｍｍ／２１．４ｍｍ＝４．３／１のレンズで以て拡大したい。その場合、拡大レンズは、１５ｍｍ対６４．５ｍｍか或いは２０ｍｍ対８６ｍｍの相対的位置に位置することになる。撮影レンズは、一般撮影も兼ねたい場合には、１７ｍｍ〜３２ｍｍ（３５ミリ用の６５ミリに相当）（標準２５ｍｍ）のズームとしたい。
なお、同様な考え方で、その他のインスタントフィルム向きのカメラにも対応したい。
以上のような、一般フィルムおよびインスタントフィルム使用の「請求項１」から「請求項５」までにおけるダイレクトカメラにおける技術思想を必要に応じて用いた、ＳｅｌｆＳｈｏｔＣａｍｅｒａと呼ぶことにする、「自分の顔が自分で撮れる」ダイレクトカメラ。
【請求項８】
「請求項１」から「請求項５」までにおける「ダイレクトカメラ」における技術思想を応用して、Ａ４サイズ（２２０ｍｍ×３１２．５ｍｍ＝６８７５０ｍｍ２）の３分の１の２２９１７ｍｍ２のサイズの印刷用写真制作用の「１／３Ａ４サイズダイレクトカメラ」とその開発思想は、
撮影画面サイズ、    ２２９１７ｍｍ２＝Ｓ×１．４２（３１２．５／２２０）、Ｓ＝１２７ｍｍ、従って、１２７ｍｍ×１８０ｍｍ、
撮影画面対角線、    ２２０ｍｍ＝（１２７２＋１８０２）１／２、
撮影距離（ｕ）、    ｕ＝３２１９ｍｍとして、
焦点距離（ｆ）、    ｆ＝３０５ｍｍ、
許容錯乱円の直径（ｃ）、  ｃ＝ｆ／１０００＝０．３０５、
絞り値（Ｆ）、            Ｆ＝ｆ／ｄ（ｄ＝絞りの直径）＝１１．３として、
過焦点距離（Ｈ）、        Ｈ＝ｆ２／Ｆ・ｃ＝３０５２／１１．３×０．３０５＝２６９９１ｍｍとして、
被写界深度（Ｄ＝Ｄｆ（前方）＋Ｄｒ（後方））、  Ｄｆ＝Ｈ・ｕ／Ｈ＋ｕ−ｆ＝２９０５ｍｍ、Ｄｒ＝Ｈ・ｕ／Ｈ−ｕ＋ｆ＝３６０９ｍｍ。Ｄ＝（３２１９−２９０５）＋（３６０９−３２１９）＝３１４＋３９０＝７０４ｍｍ。
以上から、人間を横臥させたり直立させたりして、全身（１９００ｍｍ以内と見る）を撮る場合には、その被写体の厚さの少し前気味のところに焦点を合わすと、その前後約７０ｃｍのところはピントが合うことが判り、被写体（人の全身）の大きな動きにも十分対応できる。
この例も含めた、幅１３５ｍｍの「ＮＡＧＡＩサイズ（撮影画面１２７ｍｍ×１８０ｍｍ）」と通称することにする、印刷用写真用の「１／３Ａ４サイズダイレクトカメラ」とその上記のロールフィルム。
【請求項９】
「請求項８」における「ダイレクトカメラ」に拠っては、具体的には、２ｍ以内の被写体に体しては、必要な被写界深度が得られないが、その場合に使用する印刷用写真用カメラとして、次の仕様の幅８０ミリのロールフィルムを使用する「１／９Ａ４サイズ（撮影画面７３ｍｍ×１０４ｍｍ）カメラ」とそのロールフィルム。
焦点距離（ｆ）、    １８０ｍｍ（３５ミリ６０ｍｍ相当）（標準１５０ｍｍ）。
絞り値（Ｆ）、      Ｆ＝１１．３（又は２２．６）として、
許容錯乱円の直径（ｃ）、  ｃ＝ｆ／１０００＝０．１８、
過焦点距離（Ｈ）、  Ｈ＝ｆ２／Ｆ・ｃ＝１８０２／１１．３（２２．６）×０．１８＝１５９２９（７９６５）ｍｍとして、
撮影距離（ｕ）、    ｕ＝１２００（人の半身の入る範囲）×１８０／１０４＝２０７７ｍｍｂｓｖ［
被写界深度（Ｄ＝Ｄｆ＋Ｄｒ）、  Ｄｆ＝１５９２９（７９６５）×２０７７／１５９２９（７９６５）＋２０７７−１８０＝１８５６（１６７７）ｍｍ、Ｄｒ＝１５９２９（７９６５）×２０７７／１５９２９（７９６５）−２０７７＋１８０＝２３５８（２７６８）ｍｍ、Ｄ＝（１８５６（１６７７）−２０７７）＋（２３５８（２７２６）−２０７７）＝２２１（４００）＋２８１（６４９）＝５０２（１０４９）ｍｍ。なお、Ｆ＝１６では、７２１ｍｍとなる。
【請求項１０】
「請求項８」における「印刷用写真用１／９Ａ４カメラ」で以て亦従来の中小型カメラで以て撮影したリバーサルフィルムのポジを３倍から４倍の面積のリバーサルフィルムにネガポジ引き伸ばしするにおいて、その光源に太陽自然光が使用できるように、潜望鏡のようなもので、反射鏡を上手く組み合わせて、所定の位置に導くようにして、光源となるようにした、ＳｕｎＬｉｇｈｔＥｎｌａｒｇｅｒと呼ぶことにする、リバーサルフィルム用引き伸ばし機。
【請求項１１】
前請求項までにおける「ダイレクトカメラ」あるいは従来のカメラで以て人物などをスタジオ撮影する場合において、撮影ライトに太陽自然光を使用できるように、必要な広さに開閉できる天窓や側窓などを設けた、ＳｕｎＬｉｇｈｔＳｔｕｄｉｏと呼ぶことにする、太陽自然光利用写場。